(57)【特許請求の範囲】
【請求項１】
振動板と、前記振動板の外周を固定するフレームと、オーディオ信号を前記振動板の機械的な振動に変換する電気機械変換器とを備えるスピーカユニットと、
前記スピーカユニットの背面を覆い、接地面から離間されて配置されるスピーカキャビネットと、
前記スピーカキャビネットと離間された状態で該スピーカキャビネットを貫通し、一端が接地面に設置され、他端が前記電気機械変換器に固定されて前記スピーカユニットを支持するスピーカユニット用支持部材と、
前記スピーカユニット用支持部材と離間された状態で、一端が接地面に設置され、他端が前記スピーカキャビネットを支持するキャビネット用支持部材とを備えるスピーカ。
【請求項２】
振動板と、前記振動板の外周を固定するフレームと、オーディオ信号を前記振動板の機械的な振動に変換する電気機械変換器とを備えるスピーカユニットと、
前記スピーカユニットの背面を覆い、接地面から離間されて配置されるスピーカキャビネットと、
一端が前記電気機械変換器に固定されて前記スピーカユニットを支持し、他端が前記スピーカキャビネットを貫通して接地面に設置される支持部材とを備えるスピーカであって、
前記スピーカキャビネットは、前記スピーカユニットを介して前記支持部材に支持され、
前記支持部材は、前記支持部材を除く前記スピーカ全体の重心を通る軸上で前記スピーカユニットを支持する、スピーカ。
【請求項３】
前記スピーカユニットは、前記支持部材が前記支持部材を除く前記スピーカ全体の重心を支持するように重心位置を調整する調整部材をさらに備える請求項２記載のスピーカ。
【発明の詳細な説明】
【０００１】
【発明の属する技術分野】
本発明は、スピーカに関し、特に、スピーカユニットとスピーカキャビネットとの間の振動伝達を抑制するスピーカに関するものである。
【０００２】
【従来の技術】
従来のスピーカでは、スピーカユニットをスピーカユニットのフレームを介してスピーカキャビネットに固定し、このスピーカキャビネットを接地面に設置して使用するのが一般的である。しかしながら、スピーカユニットが音を発生するとき、振動板を振動させるマグネット等からなる磁気回路部は、片側だけがフレームによって支えられた宙吊り状態にあるため、振動板に接続されたコイルの反作用を受けて磁気回路部が振動する。この振動がフレームを介してスピーカキャビネットに伝達され、スピーカキャビネットから雑音が発生され、スピーカの音質を劣化させていた。
【０００３】
このような問題点を解決するため、例えば、特開平７−３０９９０号公報に開示されるスピーカでは、スピーカユニットをフランジ側と磁気回路側から挟み込み圧迫してスピーカキャビネットの前面に固定し、スピーカキャビネットの振動を防止している。
【０００４】
【発明が解決しようとする課題】
しかしながら、上記のようなスピーカユニットの固定方法では、磁気回路を完全には固定できず、振動がフレームを介してスピーカキャビネットに伝達され、スピーカキャビネットの振動による雑音が再生信号に混入するとともに、スピーカキャビネットの振動自体が雑音となり、視聴環境を害するという問題があった。
【０００５】
また、スピーカキャビネットに伝達された振動は、フレームを介して再びスピーカユニットに伝達され、スピーカユニット全体に不要な振動を発生させ、伝達された振動が結果的に振動板の本来の振動にさらに重畳され、スピーカの音質をさらに劣化させていた。
【０００６】
さらに、高忠実度再生を行った場合、このような機械的な振動は、オーディオ再生装置、オーディオアンプ等の他のオーディオ機器にも伝達され、各機器の電気信号に畳み込まれ、再生音を劣化させるという問題点もあった。
【０００７】
本発明の目的は、スピーカキャビネット及びスピーカユニット間の振動伝達を抑制し、スピーカキャビネットから発生する雑音を低減できるとともに、スピーカの音質を向上させることができ、原音により近い再生音を実現することができるスピーカを提供することである。
【０００８】
【課題を解決するための手段】
本発明のスピーカは、振動板と、前記振動板の外周を固定するフレームと、オーディオ信号を前記振動板の機械的な振動に変換する電気機械変換器とを備えるスピーカユニットと、前記スピーカユニットの背面を覆い、接地面から離間されて配置されるスピーカキャビネットと、一端が前記電気機械変換器に固定されて前記スピーカユニットを支持し、他端が前記スピーカキャビネットを貫通して接地面に設置される支持部材とを備える。
【０００９】
上記の構成により、スピーカユニットの電気機械変換器は、接地面に設置された支持部材により直接支持され、スピーカキャビネットが接地面から離間されるので、振動板の振動に伴う電気機械変換器の不要な振動が、抑制されるとともに支持部材により接地面に吸収され、直接スピーカキャビネットに伝達されるのを抑制することができる。さらに、スピーカユニットからスピーカキャビネットに振動が伝達されたとしても、スピーカユニットは、支持部材により直接支持されているため、スピーカキャビネットからスピーカユニットへ伝達される振動を抑制することができる。従って、スピーカキャビネット及びスピーカユニット間の振動伝達を抑制し、スピーカキャビネットから発生する雑音を低減できるとともに、スピーカの音質を向上させることができ、原音により近い再生音を実現することができる。なお、本明細書において接地面とは、機械的なグランドとなる面を意味し、支持部材を接地面に設置するとは、支持部材を単に接地面上に置く場合、及び支持部材を接地面に固定する場合の双方を意味する。
【００１０】
また、前記スピーカキャビネットは、前記支持棒により支持されることが好ましい。この場合、スピーカキャビネット用の特別な支持部材が不要となり、全体の構成が簡略化される。
【００１１】
また、前記スピーカキャビネットと前記支持部材との間に配置され、前記スピーカキャビネットと前記支持部材との間の振動伝達を防止する支持部材用防振部材をさらに備えることが好ましい。この場合、支持部材を介したスピーカユニットの振動は、支持部材用防振部材により減衰されてスピーカキャビネットに伝達され、スピーカキャビネットの振動を抑制することができる。
【００１２】
また、前記支持部材用防振部材は、前記スピーカキャビネットの内部からの空気の流出を防止することが好ましい。この場合、スピーカキャビネットから空気が漏れることがなく、より原音に近い再生音を実現することができる。
【００１３】
また、前記支持部材は、前記スピーカボックスと離間された状態で前記スピーカボックスを貫通することが好ましい。この場合、スピーカユニットの振動が支持部材を介してスピーカキャビネットに伝達されることがない。
【００１４】
また、前記スピーカキャビネットを支持するキャビネット用支持部材をさらに備えることが好ましい。この場合、支持部材とは別体のキャビネット用支持部材によりスピーカキャビネットが支持されるので、スピーカキャビネットをより強固に支持することができる。
【００１５】
また、前記キャビネット用支持部材は、前記支持部材と離間された状態で接地面に設置されることが好ましい。この場合、スピーカキャビネットが支持部材から離間された状態で接地面上で支持されているので、支持部材からスピーカキャビネットに伝達される振動をさらに抑制することができる。
【００１６】
また、前記支持部材は、前記スピーカユニットの重心を通る軸上で前記スピーカユニットを支持することが好ましい。この場合、より安定にスピーカユニットを支持することができる。
【００１７】
また、前記スピーカユニットは、前記支持部材が前記スピーカユニットの重心を支持するように前記スピーカユニットの重心位置を調整する調整部材をさらに備えることが好ましい。この場合、支持部材と電気機械変換器との接合位置の選択が容易となる。
【００１８】
また、前記スピーカキャビネットは、前記スピーカユニットを介して前記支持部材に支持され、前記支持部材は、前記支持部材を除く前記スピーカ全体の重心を通る軸上で前記スピーカユニットを支持することが好ましい。この場合、より安定にスピーカ全体を支持することができる。
【００１９】
また、前記スピーカユニットは、前記支持部材が前記支持部材を除くスピーカ全体の重心を支持するように重心位置を調整する調整部材をさらに備えることが好ましい。この場合、支持部材と電気機械変換器との接合位置の選択が容易となる。
【００２０】
また、前記フレームの周縁は、前記スピーカキャビネットに設けられたスピーカユニット用孔の周縁と当接又は離間されることが好ましい。この場合、フレームとスピーカキャビネットとは接合されていないため、フレームからスピーカキャビネットへの振動の伝達を抑制することができる。
【００２１】
また、前記フレームの周縁と前記スピーカキャビネットに設けられたスピーカユニット用孔の周縁との間に配置され、前記フレームと前記スピーカキャビネットとの間の振動伝達を防止するフレーム用防振部材をさらに備えることが好ましい。この場合、スピーカユニットの振動は、フレーム用防振部材により減衰されてスピーカキャビネットに伝達され、スピーカキャビネットの振動を抑制することができる。
【００２２】
また、前記フレーム用防振部材は、前記スピーカキャビネットの内部からの空気の流出を防止することが好ましい。この場合、スピーカキャビネットから空気が漏れることがなく、より原音に近い再生音を実現することができる。
【００２３】
また、前記スピーカキャビネットは、発泡スチロール、バルサ、桐の少なくとも一つからなることが好ましい。この場合、スピーカキャビネットを軽量化することができる。
【００２４】
また、前記スピーカキャビネットの他の部材と接合される部分は、重量材からなり、前記スピーカキャビネットの他の部材と接合されない部分は、軽量材からなることが好ましい。この場合、接合部の強度を確保しながらスピーカキャビネットを軽量化することができる。
【００２５】
また、前記重量材の比重は、０．５以上であり、前記軽量材の比重は、０．３以下であることが好ましい。
【００２６】
また、前記重量材は、マホガニー、ローズウッド（紫檀）、エボニー（黒檀）、樫、楢、楓、チーク、松、スプルースのうちの少なくとも一つを含み、前記軽量材は、発泡スチロール、バルサ、桐のうちの少なくとも一つを含むことが好ましい。なお、重量材の形態は、上記の各材料からなる天然木の単板、合板、又はパーティクルボード等の集成材のいずれであってもよい。
【００２７】
【発明の実施の形態】
以下、添付図面を参照しつつ本発明の実施の形態について説明する。図１は、本発明の第一の実施の形態のスピーカの構成を概略的に示す縦断側面図である。
【００２８】
図１に示すように、スピーカは、スピーカユニット１ａ、スピーカキャビネット２ａ、支持棒３ａ、固定台４ａを備える。スピーカユニット１ａは、ヨーク１１ａ、マグネット１２ａ、プレート１３、フレーム１４ａ、振動板１５、ボイスコイル１６、エッジ１７、ダンパー１８を備える。ここで、支持棒３ａ及び固定台４ａにより支持部材が構成され、ヨーク１１ａ、マグネット１２ａ、プレート１３、及びボイスコイル１６から電気機械変換器が構成されている。なお、支持部材の構成は、上記の例に特に限定されず、種々の構成を採用することができる。また、電気機械変換器も上記の磁気回路等による構成に特に限定されず、圧電素子等を使用した他の電気機械変換器を用いてもよい。
【００２９】
マグネット１２ａがヨーク１１ａに固定され、プレート１３がマグネット１２ａに固定され、ヨーク１１ａ、マグネット１２ａ、及びプレート１３により磁気回路が構成され、ヨーク１１ａとプレート１３との間に磁界が形成される。振動板１５のボイスコイル１６の近傍は、ダンパー１８を介してフレーム１４ａに接続され、振動板１５の外周は、エッジ１７を介してフレーム１４ａの外周に接続され、これらの支持方法により振動板１５が振動可能に支持されている。ヨーク１１ａとプレート１３との間のギャップ部分にボイスコイル１６が配置され、ボイスコイル１６にオーディオ信号に対応した電流を流すと、ギャップの磁束により電流値に応じてボイスコイル１６が振動する。ボイスコイル１６は、振動板１５に接続され、ボイスコイル１６の振動に応じて振動板１５が振動し、オーディオ信号に対応した音が再生される。
【００３０】
スピーカユニット１ａのうち、ヨーク１１ａ、マグネット１２ａ、プレート１３、及びボイスコイル１６から構成される電気機械変換器のヨーク１１ａは、支持棒３ａと接合されて支持され、支持棒３ａは、接地面Ｇに置かれた固定台４ａに固定される。また、支持棒３ａは、スピーカユニット１ａの重心を通る中心軸上でヨーク１１ａと接合されている。
【００３１】
ヨーク１１ａと支持棒３ａとの接合および支持棒３ａと固定台４ａとの接合の方法は、溶接、ねじ固定、圧入、接着等の種々の方法を用いることができ、ヨーク１１ａと支持棒３ａ及び固定台４ａとを強固に接合できる方法であれば特に限定されない。支持棒３ａ及び固定台４ａの材質は、金属、プラスチック、木材等の種々の材質を用いることができ、ヨーク１１ａすなわち電気機械変換器を強固に支持することができるものであれば特に限定されない。支持棒３ａ及び固定台４ａの形状も特に限定されず、種々の形状を採用することができる。支持棒３ａ及び固定台４ａは、別体のものに特に限られず、これらを一体に形成することもでき、さらにヨーク１１ａを含めて一体に形成してもよい。
【００３２】
スピーカキャビネット２ａは、支持棒３ａに接合され、接地面Ｇから離間されている。スピーカキャビネット２ａと支持棒３ａとの接合方法は、圧入、接着等の種々の方法を用いることができ、支持棒３ａに対するスピーカキャビネット２ａの位置を規制できる方法であれば特に限定されない。スピーカキャビネット２ａに設けられたスピーカユニット用孔の外周とフレーム１４ａの外周とは、当接するのみで、接着又はねじ止め等により接合されていない。すなわち、フレーム１４ａの外周部は、スピーカキャビネット２ａを保持する程の接合力を持たず、スピーカキャビネット２ａは、支持棒３ａにより保持される。スピーカキャビネット２ａの材質としては、一般にスピーカキャビネットに使用される種々の材料を用いることができ、特に限定されないが、スピーカキャビネットの軽量化を図るため、発泡スチロール、バルサ、桐、又はこれらを組合せたものを用いてもよい。
【００３３】
上記の構成により、スピーカユニット１ａのヨーク１１ａは、フレーム１４ａを介してスピーカキャビネット２ａの前面で支持されるのではなく、支持棒３ａにより直接支持され、さらに、スピーカキャビネット２ａが接地面Ｇから離間されている。従って、振動板１５の振動に伴う電気機械変換器の不要な振動が抑制されるとともに、支持棒３ａ及び固定台４ａを介して接地面Ｇに吸収され、フレーム１４ａを介して直接スピーカキャビネット２ａに伝達されるのを抑制することができる。さらに、スピーカユニット１ａからスピーカキャビネット２ａに振動が伝達され、又は背面音圧によりスピーカキャビネット２ａが振動したとしても、スピーカユニット１ａは、支持棒３ａにより直接支持されているため、スピーカキャビネット２ａからスピーカユニット１ａへ伝達される振動を抑制することができる。この結果、スピーカキャビネット２ａ及びスピーカユニット１ａ間の振動伝達を抑制し、スピーカキャビネット２ａから発生する雑音を低減できるとともに、スピーカの音質を向上させることができ、原音により近い再生音を実現することができる。
【００３４】
次に、本発明の第二の実施の形態のスピーカについて説明する。図２は、本発明の第二の実施の形態のスピーカの構成を概略的に示す縦断側面図である。図２に示すスピーカと図１に示すスピーカとで同一部分については同一符号で示し、詳細な説明は省略する。
【００３５】
図２に示すスピーカと図１に示すスピーカとで異なる点は、支持棒３ｂがスピーカキャビネット２ｂの背面を貫通し、スピーカキャビネット２ｂの背面が支持棒３ｂと接合され、支持棒３ｂが直接接地面Ｇに固定されている点である。
【００３６】
この場合でも、上記と同様に、スピーカユニット１ａのヨーク１１ａは、フレーム１４ａを介してスピーカキャビネット２ｂの前面で支持されるのではなく、支持棒３ｂにより直接支持され、さらに、スピーカキャビネット２ｂが接地面Ｇから離間されている。従って、振動板１５の振動に伴う電気機械変換器の不要な振動が抑制されるとともに、支持棒３ｂを介して接地面Ｇに吸収され、フレーム１４ａを介して直接スピーカキャビネット２ｂに伝達されるのを抑制することができる。さらに、スピーカユニット１ａからスピーカキャビネット２ｂに振動が伝達され、又は背面音圧によりスピーカキャビネット２ｂが振動したとしても、スピーカユニット１ａは、支持棒３ｂにより直接支持されているため、スピーカキャビネット２ｂからスピーカユニット１ａへ伝達される振動を抑制することができる。この結果、スピーカキャビネット２ｂ及びスピーカユニット１ａ間の振動伝達を抑制し、スピーカキャビネット２ｂから発生する雑音を低減できるとともに、スピーカの音質を向上させることができ、原音により近い再生音を実現することができる。
【００３７】
次に、本発明の第三の実施の形態のスピーカについて説明する。図３は、本発明の第三の実施の形態のスピーカの構成を概略的に示す縦断側面図である。図３に示すスピーカと図１に示すスピーカとで同一部分については同一符号で示し、詳細な説明は省略する。
【００３８】
図３に示すスピーカと図１に示すスピーカとで異なる点は、支持棒３ｃがスピーカキャビネット２ｃの上面を貫通し、スピーカキャビネット２ｃの上面が支持棒３ｃと接合され、支持棒３ｃが直接接地面Ｇに固定されている点である。
【００３９】
この場合でも、上記と同様に、スピーカユニット１ａのヨーク１１ａは、フレーム１４ａを介してスピーカキャビネット２ｃの前面で支持されるのではなく、支持棒３ｃにより直接支持され、さらに、スピーカキャビネット２ｃが接地面Ｇから離間されている。従って、振動板１５の振動に伴う電気機械変換器の不要な振動が抑制されるとともに、支持棒３ｃを介して接地面Ｇに吸収され、フレーム１４ａを介して直接スピーカキャビネット２ｃに伝達されるのを抑制することができる。さらに、スピーカユニット１ａからスピーカキャビネット２ｃに振動が伝達され、又は背面音圧によりスピーカキャビネット２ｃが振動したとしても、スピーカユニット１ａは、支持棒３ｃにより直接支持されているため、スピーカキャビネット２ｃからスピーカユニット１ａへ伝達される振動を抑制することができる。この結果、スピーカキャビネット２ｃ及びスピーカユニット１ａ間の振動伝達を抑制し、スピーカキャビネット２ｃから発生する雑音を低減できるとともに、スピーカの音質を向上させることができ、原音により近い再生音を実現することができる。
【００４０】
上記のように、第一乃至第三の実施の形態では、スピーカキャビネットに対する支持棒の貫通位置を変化させた種々の例を説明したが、この貫通位置の差による影響は少なく、支持棒が直接電気機械変換器を支持すれば同様の効果を得ることができ、以下の各実施の形態でも同様である。
【００４１】
次に、本発明の第四の実施の形態のスピーカについて説明する。図４は、本発明の第四の実施の形態のスピーカの構成を概略的に示す縦断側面図である。図４に示すスピーカと図１に示すスピーカとで同一部分については同一符号で示し、詳細な説明は省略する。
【００４２】
図４に示すスピーカと図１に示すスピーカとで異なる点は、支持棒３ａが、スピーカキャビネット２ｄと離間された状態で、スピーカキャビネット２ｄの下面に設けられた貫通孔に挿入され、スピーカキャビネット２ｄが、スピーカユニット１ａのフレーム１４ａと接合されて支持されている点である。
【００４３】
スピーカキャビネット２ｄとフレーム１４ａとの接合方法は、ねじ固定、接着等の種々の方法を用いることができ、スピーカキャビネット２ｄの位置を規制できる程度に接合できる方法であれば特に限定されない。また、スピーカキャビネット２ｄと支持棒３ａとの間隔は、スピーカキャビネット２ｄから外部への空気漏れをできるだけ抑制するためにできるだけ狭いことが好ましい。なお、本実施の形態では、スピーカユニット２ｄは、スピーカユニット１ａに接合されて支持されているため、支持棒３ａは、支持棒３ａ及び固定台４ａを除くスピーカ全体の重心を通り、水平面に平行な軸上でヨーク１１ａと接合されている。
【００４４】
上記の構成により、スピーカユニット１ａのヨーク１１ａは、接地面Ｇに配置された支持棒３ａにより直接支持されているので、振動板１５の振動に伴う電気機械変換器の振動を抑制することができる。また、スピーカキャビネット２ｄが支持棒３ａ及び接地面Ｇから離間されているので、支持棒３ａを介して電気機械変換器の不要な振動がスピーカキャビネット２ｄに伝達されることがない。さらに、スピーカユニット１ａからスピーカキャビネット２ｄに振動が伝達され、又は背面音圧によりスピーカキャビネット２ｄが振動したとしても、スピーカユニット１ａは、支持棒３ｃにより直接支持されているため、スピーカキャビネット２ｄからスピーカユニット１ａへ伝達される振動を抑制することができる。この結果、スピーカキャビネット２ｄ及びスピーカユニット１ａ間の振動伝達を抑制し、スピーカキャビネット２ｄから発生する雑音を低減できるとともに、スピーカの音質を向上させることができ、原音により近い再生音を実現することができる。
【００４５】
次に、本発明の第五の実施の形態のスピーカについて説明する。図５は、本発明の第五の実施の形態のスピーカの構成を概略的に示す縦断側面図である。図５に示すスピーカと図２に示すスピーカとで同一部分については同一符号で示し、詳細な説明は省略する。
【００４６】
図５に示すスピーカと図２に示すスピーカとで異なる点は、スピーカキャビネット２ｅの背面に設けられた貫通孔に挿入された支持棒３ｂとスピーカキャビネット２ｅとの間に支持部材用防振部材である防振部材２２が備えられ、防振部材２２を介してスピーカキャビネット２ｅが支持棒３ｂに接合されて支持されている点である。
【００４７】
防振部材２２としては、防振ゴム、フェルト、綿等を用いることができ、例えば、ソルボセイン（発売元、三進興業株式会社）等を用いることができる。また、防振ゴムを用いた場合は、防振部材２２を介したスピーカキャビネット２ｅからの外部への空気の漏れを完全に防止することができ、フェルト及び綿を用いた場合でも空気の漏れをある程度防止することができる。
【００４８】
防振部材２２と支持棒３ｂ及びスピーカキャビネット２ｅとの接合方法は、ねじ固定、圧入、接着等の種々の方法を用いることができ、スピーカキャビネット２ｅの位置を規制できる程度に接合できる方法であれば特に限定されない。
【００４９】
上記の構成により、スピーカユニット１ａのヨーク１１ａは、支持棒３ｂにより直接支持されているので、振動板１５の振動に伴う電気機械変換器の振動を抑制することができる。また、スピーカキャビネット２ｅが、接地面Ｇから離間されるとともに、防振部材２２を介して支持棒３ｂに接合されているので、電気機械変換器の不要な振動が、支持棒３ｂを介してスピーカキャビネット２ｅへ伝達されるのを抑制することができる。さらに、スピーカユニット１ａからスピーカキャビネット２ｅに振動が伝達され、又は背面音圧によりスピーカキャビネット２ｅが振動したとしても、スピーカユニット１ａは、支持棒３ｂにより直接支持されているため、スピーカキャビネット２ｅからスピーカユニット１ａへ伝達される振動を抑制することができる。この結果、スピーカキャビネット２ｅ及びスピーカユニット１ａ間の振動伝達を抑制し、スピーカキャビネット２ｅから発生する雑音を低減できるとともに、スピーカの音質を向上させることができ、原音により近い再生音を実現することができる。なお、上記の支持部材用防振部材の適用は、本実施の形態だけでなく、他の実施の形態にも同様に適用することができる。
【００５０】
次に、本発明の第六の実施の形態のスピーカについて説明する。図６は、本発明の第六の実施の形態のスピーカの構成を概略的に示す縦断側面図である。図６に示すスピーカと図１に示すスピーカとで同一部分については同一符号で示し、詳細な説明は省略する。
【００５１】
図６に示すスピーカと図１に示すスピーカとで異なる点は、支持棒３ａが、スピーカキャビネット２ｆと離間された状態で、スピーカキャビネット２ｆの下面に設けられた貫通孔に挿入され、スピーカキャビネット２ｆが、スピーカキャビネット用支持部材であるキャビネット用支持棒５ａに支持され、固定台４ｂが支持棒３ａ及びキャビネット用支持棒５ａを固定して接地面Ｇに配置されている点である。
【００５２】
スピーカキャビネット２ｆとキャビネット用支持棒５ａとの接合方法は、ねじ固定、圧入、接着等の種々の方法を用いることができ、スピーカキャビネット２ｆの位置を規制できる程度に接合できる方法であれば特に限定されない。また、キャビネット用支持棒５ａと固定台４ｂとの接合方法は、第一の実施の形態の支持棒３ａと固定台４ａとの接合方法と同様であり、スピーカキャビネット２ｆと支持棒３ａとの間隔は、上記の第四の実施の形態と同様である。
【００５３】
上記の構成により、スピーカユニット１ａのヨーク１１ａは、接地面Ｇに配置された支持棒３ａにより直接支持されているので、振動板１５の振動に伴う電気機械変換器の振動を抑制することができる。また、スピーカキャビネット２ｆは接地面Ｇ及び支持棒３ａから離間され、キャビネット用支持棒５ａに直接支持されているので、支持棒３ａを介して電気機械変換器の不要な振動がスピーカキャビネット２ｆに直接伝達されることがない。さらに、スピーカユニット１ａからスピーカキャビネット２ｆに振動が伝達され、又は背面音圧によりスピーカキャビネット２ｆが振動したとしても、スピーカユニット１ａは、支持棒３ａにより直接支持されているため、スピーカキャビネット２ｆからスピーカユニット１ａへ伝達される振動を抑制することができる。この結果、スピーカキャビネット２ｆ及びスピーカユニット１ａ間の振動伝達を抑制し、スピーカキャビネット２ｆから発生する雑音を低減できるとともに、スピーカの音質を向上させることができ、原音により近い再生音を実現することができる。
【００５４】
次に、本発明の第七の実施の形態のスピーカについて説明する。図７は、本発明の第七の実施の形態のスピーカの構成を概略的に示す縦断側面図である。図７に示すスピーカと図６に示すスピーカとで同一部分については同一符号で示し、詳細な説明は省略する。
【００５５】
図７に示すスピーカと図６に示すスピーカとで異なる点は、固定台４ｂが分離され、支持棒３ａ専用の固定台４ｃ及びキャビネット用支持棒５ｂ専用の固定台４ｄがそれぞれ設けられた点である。
【００５６】
キャビネット用支持棒５ｂとスピーカキャビネット２ｇとの接合方法は、上記の第六の実施の形態と同様であり、支持棒３ａと固定台４ｃとの接合及びキャビネット用支持棒５ｂと固定台４ｄとの接合方法も、上記の第一の実施の形態と同様である。
【００５７】
上記の構成により、スピーカユニット１ａのヨーク１１ａは、接地面Ｇに配置されている支持棒３ａにより直接支持されているので、振動板１５の振動に伴う電気機械変換器の振動を抑制することができる。また、スピーカキャビネット２ｇは、支持棒３ａから完全に離間され、専用のキャビネット用支持棒５ｂ及び固定台４ｄにより支持されているので、支持棒３ａを介した電気機械変換器の不要な振動のスピーカキャビネット２ｇへの伝達をさらに少なくすることができる。さらに、スピーカユニット１ａからスピーカキャビネット２ｇに振動が伝達され、又は背面音圧によりスピーカキャビネット２ｇが振動したとしても、スピーカユニット１ａは、支持棒３ａにより直接支持されているため、スピーカキャビネット２ｇからスピーカユニット１ａへ伝達される振動を抑制することができる。この結果、スピーカキャビネット２ｇ及びスピーカユニット１ａ間の振動伝達を抑制し、スピーカキャビネット２ｇから発生する雑音を低減できるとともに、スピーカの音質を向上させることができ、原音により近い再生音を実現することができる。
【００５８】
次に、本発明の第八の実施の形態のスピーカについて説明する。図８は、本発明の第八の実施の形態のスピーカの構成を概略的に示す縦断側面図である。図８に示すスピーカと図２に示すスピーカとで同一部分については同一符号で示し、詳細な説明は省略する。
【００５９】
図８に示すスピーカと図２に示すスピーカとで異なる点は、スピーカキャビネット２ｈが支持棒３ｂだけでなく、キャビネット用支持棒５ｃに支持され、キャビネット用支持棒５ｃ及び固定台４ｅにより固定されている点である。ここで、スピーカキャビネット２ｈとキャビネット用支持棒５ｃとの接合及びキャビネット用支持棒５ｃと固定台４ｅとの接合の方法は、上記の第七の実施の形態と同様である。
【００６０】
上記の構成により、スピーカユニット１ａのヨーク１１ａは、接地面Ｇに配置された支持棒３ｂにより直接支持されているので、振動板１５の振動に伴う電気機械変換器の振動を抑制することができる。また、スピーカキャビネット２ｈは、支持棒３ｂ、並びにキャビネット用支持棒５ｃ及び固定台４ｅにより支持されているので、支持棒３ｂのみによる支持よりも、より強固に支持され、より振動伝達を抑制することができる。さらに、スピーカユニット１ａからスピーカキャビネット２ｈに振動が伝達され、又は背面音圧によりスピーカキャビネット２ｈが振動したとしても、スピーカユニット１ａは、支持棒３ｂにより直接支持されているため、スピーカキャビネット２ｈからスピーカユニット１ａへ伝達される振動を抑制することができる。この結果、スピーカキャビネット２ｈ及びスピーカユニット１ａ間の振動伝達を抑制し、スピーカキャビネット２ｈから発生する雑音を低減できるとともに、スピーカの音質を向上させることができ、原音により近い再生音を実現することができる。
【００６１】
次に、本発明の第九の実施の形態のスピーカについて説明する。図９は、本発明の第九の実施の形態のスピーカの構成を概略的に示す縦断側面図である。図９に示すスピーカと図１に示すスピーカとで同一部分については同一符号で示し、詳細な説明は省略する。
【００６２】
図９に示すスピーカと図１に示すスピーカとで異なる点は、スピーカキャビネット２ｉがフレーム用防振部材である防振膜６を介してスピーカユニット１ｂのフレーム１４ｂに接合されている点である。
【００６３】
スピーカキャビネット２ｉと防振膜６との接合及びフレーム１４ｂと防振膜６との接合の方法は、ねじ固定、接着等の種々の方法を用いることができ、スピーカキャビネット２ｉとフレーム６との間に防振膜６を固定できる程度に接合できる方法であれば特に限定されない。防振膜６としては、防振ゴム、フェルト、綿等を用いることができ、例えば、ソルボセイン（発売元、三進興業株式会社）等を用いることができる。また、防振ゴムを用いた場合は、防振膜６を介したスピーカキャビネット２ｉから外部への空気の漏れを完全に防止することができ、フェルト及び綿を用いた場合でも空気の漏れをある程度防止することができる。
【００６４】
上記の構成により、スピーカユニット１ｂのヨーク１１ａは、接地面Ｇに配置された支持棒３ａにより直接支持されているので、振動板１５の振動に伴う電気機械変換器の振動を抑制することができる。また、スピーカキャビネット２ｉが防振膜６を介してフレーム１４ｂに接合されているので、フレーム１４ｂを介したスピーカキャビネット２ｉ及びスピーカユニット１ｂ間の振動伝達を抑制することができる。この結果、スピーカキャビネット２ｉ及びスピーカユニット１ｂ間の振動伝達を抑制し、スピーカキャビネット２ｉから発生する雑音を低減できるとともに、スピーカの音質を向上させることができ、原音により近い再生音を実現することができる。
【００６５】
次に、本発明の第十の実施の形態のスピーカについて説明する。図１０は、本発明の第十の実施の形態のスピーカの構成を概略的に示す縦断側面図である。図１０に示すスピーカと図１に示すスピーカとで同一部分については同一符号で示し、詳細な説明は省略する。
【００６６】
図１０に示すスピーカと図１に示すスピーカとで異なる点は、スピーカキャビネット２ｊとスピーカユニット１ａのフレーム１４ａとの間が離間されている点である。
【００６７】
上記の構成により、スピーカユニット１ａのヨーク１１ａは、接地面Ｇに配置された支持棒３ａにより直接支持されているので、振動板１５の振動に伴う電気機械変換器の振動を抑制することができる。また、スピーカキャビネット２ｊがスピーカユニット１ａのフレーム１４ａから離間されているので、フレーム１４ａを介したスピーカキャビネット２ｊ及びスピーカユニット１ａ間の振動伝達がなくなる。この結果、スピーカキャビネット２ｊ及びスピーカユニット１ａ間の振動伝達を抑制し、スピーカキャビネット２ｊから発生する雑音を低減できるとともに、スピーカの音質を向上させることができ、原音により近い再生音を実現することができる。
【００６８】
次に、本発明の第十一の実施の形態のスピーカについて説明する。図１１は、本発明の第十一の実施の形態のスピーカの構成を概略的に示す縦断側面図である。図１１に示すスピーカと図１に示すスピーカとで同一部分については同一符号で示し、詳細な説明は省略する。
【００６９】
図１１に示すスピーカと図１に示すスピーカとで異なる点は、他の部材との接合面であるスピーカキャビネット２ｋの下面２８ｂが重量材から構成され、他の面２５ａ〜２７ａ（図示されていない両側面も含む）が軽量材から構成されている点である。ここで、重量材の比重は、０．５以上であり、軽量材の比重は、０．３以下であることが好ましく、重量材としては、マホガニー、ローズウッド（紫檀）、エボニー（黒檀）、樫、楢、楓、チーク、松、スプルース等の天然木の単板、合板、又はパーティクルボード等の集成材等を用いることができ、軽量材としては、発泡スチロール、バルサ、桐、又はこれらを組合せたものを用いことができる。
【００７０】
上記の構成により、第十一の実施の形態でも、第一の実施の形態と同様の効果が得られるとともに、さらに、スピーカキャビネット２ｋの他の部材と接合される下面２８ｂのみが重量材で構成され、他の部分が軽量材で構成されているため、接合部の強度を確保しながらスピーカキャビネットを軽量化することができる。
【００７１】
次に、本発明の第十二の実施の形態のスピーカについて説明する。図１２は、本発明の第十二の実施の形態のスピーカの構成を概略的に示す縦断側面図である。図１２に示すスピーカと図２に示すスピーカとで同一部分については同一符号で示し、詳細な説明は省略する。
【００７２】
図１２に示すスピーカと図２に示すスピーカとで異なる点は、他の部材との接合面であるスピーカキャビネット２ｍの背面２７ｂが重量材から構成され、他の面２５ａ、２６ａ、２８ａ（図示されていない両側面も含む）が軽量材から構成されている点である。重量材及び軽量材の材質は、第十一の実施の形態と同様である。
【００７３】
上記の構成により、第十二の実施の形態でも、第二の実施の形態と同様の効果が得られるとともに、さらに、スピーカキャビネット２ｍの他の部材と接合される背面２７ｂのみが重量材で構成され、他の部分が軽量材で構成されているため、接合部の強度を確保しながらスピーカキャビネットを軽量化することができる。
【００７４】
次に、本発明の第十三の実施の形態のスピーカについて説明する。図１３は、本発明の第十三の実施の形態のスピーカの構成を概略的に示す縦断側面図である。図１３に示すスピーカと図３に示すスピーカとで同一部分については同一符号で示し、詳細な説明は省略する。
【００７５】
図１３に示すスピーカと図３に示すスピーカとで異なる点は、他の部材との接合部であるスピーカキャビネット２ｎの上面の中心部２９が重量材から構成され、他の部分２５ａ、２７ａ、２８ａ、３０（図示されていない両側面も含む）が軽量材から構成されている点である。重量材及び軽量材の材質は、第十一の実施の形態と同様である。
【００７６】
上記の構成により、第十三の実施の形態でも、第三の実施の形態と同様の効果が得られるとともに、さらに、スピーカキャビネット２ｍの他の部材と接合される上面の中心部２９のみが重量材で構成され、他の部分が軽量材で構成されているため、接合部の強度を確保しながらスピーカキャビネットをさらに軽量化することができる。
【００７７】
次に、支持部材が、支持部材を除くスピーカ全体の重心又はスピーカユニットの重心を支持するように重心位置を調整する調整部材について説明する。図１４は、調整部材の一例を説明するためのスピーカユニットの断面図である。
【００７８】
図１４に示すように、支持部材である支持棒が挿入される凹部Ｈ１の先端部分に、スピーカユニットの重心Ｃが位置するように、調整部材として後端部を拡大したヨーク１１ｂを用いている。従って、このようにヨークの形状を変更することにより、スピーカユニットの重心位置を容易に調整することができ、支持棒とヨークとの接合位置の選択が容易となる。なお、支持棒とヨークとの接合方法は、溶接、ねじ固定、圧入、接着等の種々の方法を用いることができ、ねじ固定の場合は、支持棒に直接雄ねじ部を、ヨーク１１ｂの凹部Ｈ１に直接雌ねじ部を設けてもよい。また、支持部材が支持部材を除くスピーカ全体の重心を支持するように重心位置を調整する場合は、ヨーク１１ｂをさらに大きくすることにより、上記と同様に重心位置を調整することができ、以下の各例でも同様である。
【００７９】
次に、調整部材の他の例について説明する。図１５は、調整部材の他の例を説明するためのスピーカユニットの断面図である。
【００８０】
図１５に示すように、スピーカユニットの重心Ｃが中心部に位置するように、調整部材として、凸部Ｔ１を有し、後端部を拡大したヨーク１１ｃを用いている。この場合も上記と同様に、スピーカユニットの重心位置を容易に調整することができ、支持棒とヨークとの接合位置の選択が容易となる。なお、支持棒とヨークとの接合方法は、上記と同様であり、ねじ固定の場合は、支持棒に直接雌ねじ部を、ヨーク１１ｃの凸部Ｔ１に直接雄ねじ部を設けてもよい。
【００８１】
次に、調整部材のさらに他の例について説明する。図１６は、調整部材のさらに他の例を説明するためのスピーカユニットの断面図である。
【００８２】
図１６に示すように、スピーカユニットの重心Ｃが中心部に位置するように、調整部材として、凹部Ｈ２を有し、磁気回路部を覆うように拡大したフレーム１４ｃを用いている。なお、磁気回路部がそのままフレーム１４ｃに納まるようにマグネットを小径のマグネット１２ｂに変更している。この場合も上記と同様に、スピーカユニットの重心位置を容易に調整することができ、支持棒とヨークとの接合位置の選択が容易となる。なお、支持棒とフレームとの接合方法は、上記と同様であり、ねじ固定の場合は、支持棒に直接雄ねじ部を、フレーム１４ｃの凹部Ｈ２に直接雌ねじ部を設けてもよい。
【００８３】
なお、調整部材は、上記のように他の部品と一体にされたものに特に限定されず、別部品で構成してもよい。また、上記の各実施の形態では、ヨークと支持棒とを接合しているが、図１６のように、電気機械変換器付近の他の部材と支持棒とを接合するようにしてもよい。
【００８４】
また、上記各実施の形態を任意に組み合わせることもでき、その場合も同様の効果を得ることができ、本発明は、ハイエンド用のオーディオ用スピーカのみならず、一般用スピーカ、車載用スピーカ等の種々のスピーカに適用することができる。
【００８５】
【発明の効果】
本発明によれば、スピーカユニットの電気機械変換器は、接地面に設置された支持部材により直接支持され、スピーカキャビネットが接地面から離間されるので、振動板の振動に伴う電気機械変換器の不要な振動が、抑制されるとともに支持部材により接地面に吸収され、直接スピーカキャビネットに伝達されるのを抑制することができる。さらに、スピーカユニットからスピーカキャビネットに振動が伝達されたとしても、スピーカユニットは、支持部材により直接支持されているため、スピーカキャビネットからスピーカユニットへ伝達される振動を抑制することができる。従って、スピーカキャビネットに対するスピーカユニットの独立性を高めることができ、スピーカキャビネット及びスピーカユニット間の振動伝達を抑制し、スピーカキャビネットから発生する雑音を低減できるとともに、スピーカの音質を向上させることができ、原音により近い再生音を実現することができる。
【図面の簡単な説明】
【図１】本発明の第一の実施の形態のスピーカの構成を概略的に示す縦断側面図である。
【図２】本発明の第二の実施の形態のスピーカの構成を概略的に示す縦断側面図である。
【図３】本発明の第三の実施の形態のスピーカの構成を概略的に示す縦断側面図である。
【図４】本発明の第四の実施の形態のスピーカの構成を概略的に示す縦断側面図である。
【図５】本発明の第五の実施の形態のスピーカの構成を概略的に示す縦断側面図である。
【図６】本発明の第六の実施の形態のスピーカの構成を概略的に示す縦断側面図である。
【図７】本発明の第七の実施の形態のスピーカの構成を概略的に示す縦断側面図である。
【図８】本発明の第八の実施の形態のスピーカの構成を概略的に示す縦断側面図である。
【図９】本発明の第九の実施の形態のスピーカの構成を概略的に示す縦断側面図である。
【図１０】本発明の第十の実施の形態のスピーカの構成を概略的に示す縦断側面図である。
【図１１】本発明の第十一の実施の形態のスピーカの構成を概略的に示す縦断側面図である。
【図１２】本発明の第十二の実施の形態のスピーカの構成を概略的に示す縦断側面図である。
【図１３】本発明の第十三の実施の形態のスピーカの構成を概略的に示す縦断側面図である。
【図１４】調整部材の一例を説明するためのスピーカユニットの断面図である。
【図１５】調整部材の他の例を説明するためのスピーカユニットの断面図である。
【図１６】調整部材のさらに他の例を説明するためのスピーカユニットの断面図である。
【符号の説明】
１ａ〜１ｂ  スピーカユニット
２ａ〜２ｎ  スピーカキャビネット
３ａ〜３ｃ  支持棒
４ａ〜４ｅ  固定台
５ａ〜５ｃ  キャビネット用支持棒
６  防振膜
１１ａ〜１１ｃ  ヨーク
１２ａ、１２ｂ  マグネット
１３  プレート
１４ａ〜１４ｃ  フレーム
１５  振動板
１６  ボイスコイル
１７  エッジ
１８  ダンパー
２１  貫通孔
２２  防振部材
【図１】
0003845989.tif 000002
【図２】
0003845989.tif 000003
【図３】
0003845989.tif 000004
【図４】
0003845989.tif 000005
【図５】
0003845989.tif 000006
【図６】
0003845989.tif 000007
【図７】
0003845989.tif 000008
【図８】
0003845989.tif 000009
【図９】
0003845989.tif 000010
【図１０】
0003845989.tif 000011
【図１１】
0003845989.tif 000012
【図１２】
0003845989.tif 000013
【図１３】
0003845989.tif 000014
【図１４】
0003845989.tif 000015
【図１５】
0003845989.tif 000016
【図１６】
0003845989.tif 000017